(57)【特許請求の範囲】
【請求項１】
複数の居室空間に仕切られる集合居室空間と、複数の水廻り空間に仕切られる集合水廻り空間とを備え、前記集合居室空間および集合水廻り空間がそれぞれ耐力壁に囲まれ、かつ、両者が防湿構造の耐力壁により前記集合居室空間と集合水廻り空間を区画する区画壁とを有する戸建住宅であって、
前記集合水廻り空間で発生する水蒸気を屋外に放出する自然換気構造を有し、前記集合居室空間が可動壁固定装置を使用して立設される可動壁により複数の居室空間に仕切られると共に、前記集合水廻り空間が可動壁固定装置を使用して立設される可動壁により用途別の複数の水廻り空間に仕切られ、前記区画壁は、集合居室空間側の柱及び間柱の両面に構造用面材を張設し、一方側に壁仕上材を設けてなる耐力壁部分と、集合水廻り空間側の通気性を有する壁仕上材の裏側に通気層を形成する間柱を介して断熱層を配設した防湿壁部分とからなり、戸建住宅の１階から２階に亘って設けられており、前記自然換気構造は、前記区画壁内の通気層と集合水廻り空間の天井裏空間と屋根通気層と集合水廻り空間の床下の配管ピットと集合水廻り空間の天井に設けた排気口と壁換気ガラリとによって構成されており、前記可動壁固定装置は、天井仕上材又は床仕上材を相互に接合する雇い実の一部として天井仕上材又は床仕上材の接合部分に埋設される実型支持金具と、前記可動壁の上端部又は下端部に固定され、前記実型支持金具にそれぞれ着脱自在に装着される固定金具とからなることを特徴とする戸建住宅。
【請求項２】
天井仕上材の接合部分に埋設される実型支持金具は、断面形状が中空に形成され、固定金具を挿入するためのスリットを有し、内部にはコイルスプリングによって付勢された２枚の装着プレートが収容されていることを特徴とする請求項１に記載の戸建住宅。
【請求項３】
床仕上材の接合部分に埋設される実型支持金具は、支持部の上面に長手方向に沿ってスリットが形成され、支持部の下面に角溝型の断面形状を呈する溝状固定部を備えており、前記溝状固定部の底壁部が床下地材に固定されていることを特徴とする請求項１に記載の戸建住宅。
【発明の詳細な説明】
【技術分野】
【０００１】
この発明は、複数の居室空間および複数の水廻り空間を備え、天井と床との間に可動壁を立設するための可動壁固定装置を設けた戸建住宅に関するものである。
【背景技術】
【０００２】
従来一般に知られている住宅は、複数の居室空間（例えば居室、寝室、リビングルーム、ダイニングルームなど）および複数の水廻り空間（例えばキッチン、浴室、洗面兼脱衣場、トイレ、物干場など）を備えている。
【０００３】
ここで、水廻り空間の一つであるキッチンは、通常、居室空間の一つであるダイニングルームに隣接して配置されている。また、トイレと浴室が相互に分離して配置されることもある。このように、従来の住宅では、一般に、複数の水廻り空間が一箇所に集合されることなく分散した状態で居室空間に入り組んで配置されている。
【０００４】
一方、複数の居室空間は、建物の構造躯体の一部を構成するように筋違いなどを設けた耐力壁によって相互に仕切られているのが一般的であるが、可動式の間仕切りによって相互に仕切られることもある。その一例として、特許文献１には、建物の天井と床との間に位置を変えて立設可能な複数の可変間仕切りパネルにより、複数の居室空間を相互に仕切る構造が記載されている。
【０００５】
そして、特許文献１には、可変間仕切りパネルを建物の天井と床との間に位置を変えて立設可能とするための構造として、床面に下端部が支承される可変間仕切りパネルの上端部の左右位置に、その上面から上方に突出可能な一対の差込み凸を設けると共に、この一対の差込み凸が選択的に差し込まれる多数の差込み凹を天井面に設けた構造が記載されている。
【０００６】
また、特許文献２には、建物の天井と床との間に位置を変えて可動間仕切りユニットを立設するための構造として、可動間仕切りユニットの上端部に差し込まれるクサビ部材を天井面に設けると共に、可動間仕切りユニットの下端部をスライド自在に案内する幅木ランナを床面に設けた構造が記載されている。
【特許文献１】特開２０００−４５４３０号公報（要約、図１）
【特許文献２】特開２００１−１２３５６８号公報（段落００１８、００１９、図１〜図４）
【発明の開示】
【発明が解決しようとする課題】
【０００７】
ところで、従来一般に知られている木造戸建住宅では、複数の水廻り空間が一箇所に集合されることなく分散した状態で居室空間に入り組んで配置されているため、複数の水廻り空間で発生する水蒸気等が居室空間へ侵入し易い。このため、居室空間を囲む躯体に結露が発生してカビや腐敗の原因となることがあり、その結果、住宅の耐久性が低下する虞がある。
【０００８】
また、複数の居室空間が耐力壁によって相互に仕切られている場合には、これを撤去する作業が大掛かりとなるため、家族構成やライフスタイルの変化に応じて居室空間の間取りを変更することが容易ではない。
【０００９】
もっとも、複数の居室空間が特許文献１に記載のような可変間仕切りパネルや特許文献２に記載のような可動間仕切りユニットによって相互に仕切られている場合には、これらの可変間仕切りパネルや可動間仕切りユニットの立設位置を変更することで、家族構成やライフスタイルの変化に応じた居室空間の間取りの変更に容易に対応することができる。
【００１０】
しかしながら、特許文献１に記載の可変間仕切りパネルを使用する場合には、天井面に多数の差込み凹が露出するため、居室空間の美観が損なわれる。そして、上部のみの固定式なので間仕切り板の耐震性が弱い。また、特許文献２に記載の可動間仕切りユニットを使用する場合には、可動間仕切りユニットの立設位置の変更によって不要となったクサビ部材を取り外さない限り、天井面の美観が損なわれる。そして、特に、床面に設置された幅木ランナを固定する複数の埋込ナット部材等は、床面との段差が生じやすく、歩行の安全性が損なわれる。
【００１１】
そこで、この発明は、水廻り空間で発生する水蒸気等に起因する結露を抑制して住宅の耐久性を向上することができると共に、居室空間の間取りや水廻り空間の用途別のレイアウトを容易に変更することができる住宅を提供することを課題とする。
【００１２】
併せて、この発明は、美観や歩行の安全性を損なうことなく、住宅における天井と床との間に可動壁を立設することができる可動壁固定装置を提供することを課題とする。
【課題を解決するための手段】
【００１３】
このような課題を解決するための手段として、この発明に係る戸建住宅は、  複数の居室空間に仕切られる集合居室空間と、複数の水廻り空間に仕切られる集合水廻り空間とを備え、前記集合居室空間および集合水廻り空間がそれぞれ耐力壁に囲まれ、かつ、両者が防湿構造の耐力壁により前記集合居室空間と集合水廻り空間を区画する区画壁とを有する住宅であって、      
前記集合水廻り空間で発生する水蒸気を屋外に放出する自然換気構造を有し、前記集合居室空間が可動壁固定装置を使用して立設される可動壁により複数の居室空間に仕切られると共に、前記集合水廻り空間が可動壁固定装置を使用して立設される可動壁により用途別の複数の水廻り空間に仕切られ、前記区画壁は、集合居室空間側の柱及び間柱の両面に構造用面材を張設し、一方側に壁仕上材を設けてなる耐力壁部分と、集合水廻り空間側の通気性を有する壁仕上材の裏側に通気層を形成する間柱を介して断熱層を配設した防湿壁部分とからなり、戸建住宅の１階から２階に亘って設けられており、前記自然換気構造は、前記区画壁内の通気層と集合水廻り空間の天井裏空間と屋根通気層と集合水廻り空間の床下の配管ピットと集合水廻り空間の天井に設けた排気口と壁換気ガラリとによって構成されており、前記可動壁固定装置は、天井仕上材又は床仕上材を相互に接合する雇い実の一部として天井仕上材又は床仕上材の接合部分に埋設される実型支持金具と、前記可動壁の上端部又は下端部に固定され、前記実型支持金具にそれぞれ着脱自在に装着される固定金具とからなることを特徴とする。
【００１４】
天井仕上材の接合部分に埋設される実型支持金具は、断面形状が中空に形成され、固定金具を挿入するためのスリットを有し、内部にはコイルスプリングによって付勢された２枚の装着プレートが収容された構成とすることができる。
【００１５】
天井仕上材の接合部分に埋設される実型支持金具に装着される固定金具は、装着金具を介して実型支持金具に固定された構成とすることができる。
【００１６】
床仕上材の接合部分に埋設される実型支持金具は、支持部の上面に長手方向に沿ってスリットが形成され、支持部の下面に角溝型の断面形状を呈する溝状固定部を備えており、前記溝状固定部の底壁部が床下地材に固定されている構成とすることができる。
【００１７】
床仕上材の接合部分に埋設される実型支持金具に装着される固定金具は、Ｔ字型断面形状に形成されており、実型支持金具の支持部上面のスリットを貫通して溝状固定部まで挿入されている構成とすることができる。
【発明の効果】
【００１８】
この発明に係る戸建住宅によれば、集合水廻り空間で発生する水蒸気等が集合居室空間へ侵入するのを抑制しつつ、その水蒸気等を屋外に放出できるため、集合水廻り空間で発生する水蒸気等に起因する結露を抑制して住宅の耐久性を向上することができる。併せて、可動壁の立設位置を変更することにより、集合居室空間に仕切られる複数の居室の間取りや、集合水廻り空間に仕切られるキッチン、浴室、洗面脱衣場、トイレ、物干場などの用途別の複数の水廻り空間のレイアウトを家族構成やライフスタイルの変化に応じて容易に変更することができる。
【００１９】
一方、可動壁固定装置によれば、天井と床との間に立設される可動壁の位置を変更しても、実型支持金具が天井や床の仕上材の表面に露出することがないため、天井や床の仕上材の美観を損なうことなく、歩行の安全性を十分に確保することができる。
【発明を実施するための最良の形態】
【００２０】
以下、図面を参照して本発明に係る住宅およびその可動壁固定装置の最良の実施形態を説明する。ここで、図１は一実施形態に係る戸建住宅の平面図、図２は一実施形態に係る戸建住宅の要部斜視図、図３は一実施形態に係る戸建住宅の要部縦断面図である。
【００２１】
一実施形態に係る戸建住宅は、例えば図１〜図３に示すような木造二階建ての戸建住宅として構成されている。この戸建住宅の１階部分は、図示しない筋違い等が組み込まれた耐震構造の耐力壁１で周囲が囲まれた箱型となっている（図１参照）。そして、この戸建住宅の１階部分は、通気性を有する防湿耐力構造の区画壁２により、スペースの広い長方形の集合居室空間３と、細長い長方形の集合水廻り空間４とに区画されている。
【００２２】
ここで、区画壁２は、図３および図４に示すように、集合居室空間３側に面する耐力壁部分と、集合水廻り空間４側に面する通気性の防湿壁部分とが一体に構成されたものであり、戸建住宅の１階から２階に亘って設けられている（図３参照）。
【００２３】
集合居室空間３側に面する耐力壁部分は、壁仕上材２Ａの裏側の柱２Ｂおよび間柱２Ｃの両面に構造用面材２Ｄ，２Ｄが張設された構造を有する。一方、集合水廻り空間４側に面する防湿壁部分は、壁仕上材２Ｅの裏側に通気層５Ａを形成する間柱２Ｆを介して硬質発泡樹脂製の断熱材層２Ｇが配設された構造を有し、この断熱材層２Ｇの通気層側には、防湿シート２Ｈが貼設されている。
【００２４】
ここで、図３に示すように、集合水廻り空間４の周囲には、集合水廻り空間４で発生する水蒸気等を屋外に放出する自然換気構造５が構成されている。この自然換気構造５は、前述した区画壁２における集合水廻り空間４側の壁仕上材２Ｅの内側に形成された通気層５Ａと、集合水廻り空間４の天井裏空間５Ｂと、集合水廻り空間４の屋根６を構成する屋根仕上材６Ａと屋根下地材６Ｂとの間に形成された屋根通気層５Ｃと、集合水廻り空間４の床下にベタ基礎５Ｄで囲まれて形成された配管ピット５Ｅとを主体に構成されている。
【００２５】
ここで、通気層５Ａの下端部は配管ピット５Ｅに連通しており、この配管ピット５Ｅはベタ基礎５Ｄに設けられた床下換気孔５Ｆを介して屋外に開放されている。また、天井裏空間５Ｂは、排気口５Ｇを介して集合水廻り空間に連通している。そして、天井裏空間５Ｂおよび屋根通気層５Ｃは、戸建住宅の２階部分に臨む通気層５Ａの上端部に連通しており、この通気層５Ａの上端部は壁換気ガラリ５Ｇを介して屋外に開放されている。なお、配管ピット５Ｅは、ライフサイクル的に早く寿命が来る水廻り器具の交換やメンテナンスを容易にするために設けられている。
【００２６】
ここで、図１に示すように、集合居室空間３には、スペースの広いリビング・ダイニングルームＬＤと、寝室あるいは居室として使用されるスペースの狭い２つの小部屋Ｒとが複数の間仕切パネル７によって仕切られている。同様に、集合水廻り空間４には、用途別の複数の水廻り空間として、浴室ＢＲ、洗面脱衣場ＵＴ、トイレＷＣ、キッチンＫが複数の間仕切パネル７によって仕切られている。
【００２７】
集合居室空間３に仕切られるリビング・ダイニングルームＬＤと、集合水廻り空間４に仕切られるトイレＷＣおよびキッチンＫとの間を区画する区画壁２には、例えばドアＤＲなどの建具で開閉される出入口がそれぞれ設けられている。
【００２８】
間仕切パネル７は、立設位置が容易に変更可能な可動壁を構成するものであり、図２に示すように、天井８と床９との間に後述する可動壁固定装置を使用して立設される。そのための構造として、天井８は、同間隔幅の複数の天井仕上材８Ａを相互に雇い実８Ｂで接合した構造とされている。同様に、床９は、同間隔幅の複数の床仕上材９Ａを相互に雇い実９Ｂで接合した構造とされている。
【００２９】
ここで、図５に示すように、間仕切パネル７の上端部の左右両側付近は、例えばスプリング式の可動壁固定装置１０により天井８に着脱自在に固定され、間仕切パネル７の下端部の左右両側付近は、例えばスライドストッパ式の可動壁固定装置２０により床９に着脱自在に固定される。
【００３０】
スプリング式の可動壁固定装置１０は、天井仕上材８Ａを相互に接合する雇い実８Ｂの一部として天井仕上材８Ａの接合部に埋設される実型支持金具１１と、この実型支持金具１１に着脱自在に装着されて間仕切パネル７の上端部が着脱自在に固定される固定金具１２とを備えている。そして、可動壁固定装置１０の実型支持金具１１は、図２に示すように、間仕切パネル７の立設が想定される位置に対応して天井８の複数箇所に埋設される。
【００３１】
一方、スライドストッパ式の可動壁固定装置２０は、床仕上材９Ａを相互に接合する雇い実９Ｂの一部として床仕上材９Ａの接合部に埋設される実型支持金具２１と、この実型支持金具２１に着脱自在に装着されて間仕切パネル７の下端部が着脱自在に固定される固定金具２２とを備えている。そして、可動壁固定装置２０の実型支持金具２１は、図２に示すように、間仕切パネル７の立設が想定される位置に対応して床９の複数箇所に埋設される。
【００３２】
図６および図７に示すように、スプリング式の可動壁固定装置１０を構成する実型支持金具１１は、断面形状が中空の横向き長方形に形成されており、その上壁部が固定ビス１３によって天井野縁８Ｃに固定されている。この実型支持金具１１の内部には、その長手方向に段部を介して分割された２枚の装着プレート１４，１４と、装着プレート１４，１４を下方に付勢するコイルスプリング１５，１５と、装着プレート１４，１４が図７の左右方向に移動するのを規制する２枚のズレ止めプレート１６，１６とが収容されている（図８参照）。
【００３３】
そして、この実型支持金具１１の下壁部には、後述する固定金具１２の上端部を挿入するためのスリット１１Ａが左右の装着プレート１４，１４に対面するように形成されている。また、取り外し用にこのスリット１１Ａの右側の下壁部には、右側の装着プレート１４をドライバなどの工具により上方に押し上げるための取外し用操作孔１１Ｂが形成されている。
【００３４】
スプリング式の可動壁固定装置１０を構成する固定金具１２は、縦向き長方形のプレート状に形成されており、その上端部は、天井仕上材８Ａの接合部の目すかし部８Ｄから実型支持金具１１の下壁部のスリット１１Ａ内に挿入可能となっている。そして、この固定金具１２の上端部には、実型支持金具１１のスリット１１Ａ内に挿入した状態でスリット１１Ａの左側に位置する実型支持金具１１の下壁部に差し込み可能なスリット１２Ａが形成されている。
【００３５】
固定金具１２の上端部を除く殆どの部分は、間仕切パネル７の上端面に形成された収容溝７Ａに挿入可能となっている。そして、この固定金具１２の下端部には、間仕切パネル７の上端部を２本の固定ボルト１７，１７により固定金具１２に着脱自在に固定するための一対のボルト挿通孔１２Ｂ，１２Ｂが形成されている。
【００３６】
このように構成されたスプリング式の可動壁固定装置１０によって間仕切パネル７の上端部を天井８に着脱自在に固定するには、まず、固定金具１２の上端部を天井仕上材８Ａの接合部の目すかし部８Ｄから実型支持金具１１の下壁部のスリット１１Ａ内に挿入する。そして、固定金具１２の上端縁で左右の装着プレート１４，１４をコイルスプリング１５，１５に抗して上方に押し上げる。この状態で、固定金具１２の上端部を実型支持金具１１の長手方向に沿って図７の左方にスライドさせ、実型支持金具１１のスリット１１Ａの左側に位置する下壁部に固定金具１２のスリット１２Ａを差し込む。
【００３７】
すると、図７に示すように、固定金具１２の上端縁との係合が外れた右側の装着プレート１４がコイルスプリング１５に押動されて下方に移動し、この装着プレート１４の左端縁が固定金具１２の上端部の右端縁を係止することにより、固定金具１２の上端部が実型支持金具１１に装着される。そこで、この固定金具１２の下端部の一対のボルト挿通孔１２Ｂ，１２Ｂに挿通される２本の固定ボルト１７，１７により、間仕切パネル７の上端部を固定金具１２に固定し、この固定金具１２を介して間仕切パネル７の上端部を天井８に固定する。このように、スプリング式の可動壁固定装置１０は、固定金具１２の上端縁を実型支持金具１１のスリット１１Ａ内に挿入し、水平方向にスライドさせるだけで装着されるから取り付けが容易である。
【００３８】
一方、図９〜図１２に示すように、スライドストッパ式の可動壁固定装置２０を構成する実型支持金具２１は、断面形状が中空の横向き長方形を呈する角筒状支持部２１Ａの下壁部に、幅の狭い角溝型の断面形状を呈する溝状固定部２１Ｂが一体に形成されており、その溝状固定部２１Ｂの底壁部が固定ビス２３によって床下地材９Ｃに固定されている。そして、この実型支持金具２１の中空断面の角筒状支持部２１Ａには、その上壁部から下壁部に跨る貫通スリット２１Ｃが長手方向に沿って形成されている。
【００３９】
実型支持金具２１の上部の角筒状支持部２１Ａ内には、その長手方向に沿って図１０の左右方向に摺動自在な角型中空断面のスライドストッパ２４が収容されている。このスライドストッパ２４の上面には、角筒状支持部２１Ａの上壁部側の貫通スリット２１Ｃを通して床仕上材９Ａの接合部の差込み口９Ｄに臨む操作突起２４Ａが歩行に対して安全なように床仕上げ面より下に突出形成されている。そして、このスライドストッパ２４には、角筒状支持部２１Ａの貫通スリット２１Ｃに挿入される装着金具２５の装着片２５Ａを貫通させる貫通スリット２４Ｂが形成されている。
【００４０】
スライドストッパ式の可動壁固定装置２０を構成する固定金具２２は、前述の装着金具２５を介して実型支持金具２１に着脱自在に装着される。この装着金具２５は、図９に示すようなＴ字型の断面形状に形成されており、その上部の水平部分が例えば菱形の接続片２５Ｂを構成し、その下部の垂直部が横向き長方形の装着片２５Ａを構成している。この装着片２５Ａは、床仕上材９Ａの接合部である目地９Ｅに形成された差込み口９Ｄから実型支持金具２１の角筒状支持部２１Ａの貫通スリット２１Ｃおよびスライドストッパ２４の貫通スリット２４Ｂを貫通して溝状固定部２１Ｂ内まで挿入可能となっている。
【００４１】
図１０に示すように、装着金具２５の装着片２５Ａの左縁部には、装着片２５Ａが溝状固定部２１Ｂ内まで挿入された状態で貫通スリット２４Ｂの左側に位置するスライドストッパ２４の上壁部から下壁部に跨って係合可能な大きな切欠き２５Ｃが形成されている。また、この状態で貫通スリット２１Ｃの右側に位置する角筒状支持部２１Ａの上壁部および下壁部にそれぞれ係合可能な上下一対の小さな切欠き２５Ｄ，２５Ｄが装着片２５Ａの右縁部に形成されている。
【００４２】
ここで、図９および図１１に示すように、装着金具２５の装着片２５Ａが溝状固定部２１Ｂ内まで挿入された状態で、装着金具２５の接続片２５Ｂは床仕上材９Ａの上方に位置するようになっている。そして、この接続片２５Ｂには、間仕切パネル７の下端部を固定するための前述の固定金具２２を左右一対の固定ボルト２６，２６により固定するための一対のボルト挿通孔２５Ｅ，２５Ｅが形成されている。
【００４３】
図１１に示すように、固定金具２２は、間仕切パネル７の下端部を挟み込むように上方が開口したコ字型の断面形状を有し、その底板部２２Ａは概略正方形に形成されている。そして、この固定金具２２の底板部２２Ａの下面には、ゴムなどの弾性部材からなる免震部材２７が接着等により固定されている。
【００４４】
固定金具２２の底板部２２Ａには、前述した左右一対の固定ボルト２６，２６が挿通されるボルト挿通孔として、装着金具２５の接続片２５Ｂに対し固定金具２２を水平方向に９０度回転して固定可能とし、また、図９の左右方向に微動調節して固定可能とするように、十文字孔２２Ｂが形成されている。また、固定金具２２の左右の側壁部２２Ｃ，２２Ｃには、間仕切パネル７の下端部を左右一対の固定ボルト２８，２８により固定金具２２に着脱自在に固定するための一対のボルト挿通孔２２Ｄ，２２Ｄが形成されている。
【００４５】
免震部材２７は、固定金具２２の底板部２２Ａの下面に重なる略正方形の厚板からなり、その下面には、装着金具２５の接続片２５Ｂおよび左右一対の固定ボルト２６，２６の下端部を収容する凹部２７Ａが形成されている。この免震部材２７は、床仕上材９Ａ上に設置されることで間仕切パネル７の下端部を床９上に弾性的に支持する。
【００４６】
このように構成されたスライドストッパ式の可動壁固定装置２０によって間仕切パネル７の下端部を床９に着脱自在に固定するには、まず、実型支持金具２１側のスライドストッパ２４を操作突起２４Ａにより図１０の左方に移動し、スライドストッパ２４の貫通スリット２４Ｂの位置を角筒状支持部２１Ａの貫通スリット２１Ｃの位置に合わせる。そして、この状態で、装着金具２５の装着片２５Ａを床仕上材９Ａの接合部の差込み口９Ｄから角筒状支持部２１Ａの貫通スリット２１Ｃおよびスライドストッパ２４の貫通スリット２４Ｂを貫通して溝状固定部２１Ｂ内まで挿入する。
【００４７】
続いて、スライドストッパ２４を操作突起２４Ａにより図１０の右方に移動し、装着片２５Ａの左縁部の大きな切欠き２５Ｃにスライドストッパ２４の貫通スリット２４Ｂの左側に位置する上壁部および下壁部を係合させる。さらに、スライドストッパ２４を右方に移動して装着片２５Ａを右方に押動し、その右縁部の上下一対の小さな切欠き２５Ｄ，２５Ｄを角筒状支持部２１Ａの貫通スリット２１Ｃの右側に位置する上壁部および下壁部にそれぞれ係合させる。
【００４８】
こうすることで、図１０に示すように、装着金具２５の装着片２５Ａがスライドストッパ２４を介して実型支持金具２１に装着される。そこで、固定金具２２の底板部２２Ａに形成された十文字孔２２Ｂから装着金具２５の接続片２５Ｂに形成された左右一対のボルト挿通孔２５Ｅ，２５Ｅに一対の固定ボルト２６，２６を挿通することで、装着金具２５の接続片２５Ｂに免震部材２７を介して固定金具２２を接続する。
【００４９】
その後、固定金具２２の左右の側壁部２２Ｃ，２２Ｃに形成された一対のボルト挿通孔２２Ｄ，２２Ｄに挿通される左右一対の固定ボルト２８，２８により、間仕切パネル７の下端部を固定金具２２に固定し、この固定金具２２および免震部材２７を介して間仕切パネル７の下端部を床９に固定する。このスライドストッパ式の可動壁固定装置２０は、固定金具２２を固定する装着金具２５をスライドストッパ２４を介して装着するから、取り付けが確実に行われる。
【００５０】
以上のように構成された一実施形態の戸建住宅では、１階部分の集合水廻り空間４に仕切られた浴室ＢＲ、洗面脱衣場ＵＴ、トイレＷＣ、キッチンＫなどで発生する水蒸気等は、防湿耐力構造の区画壁２、すなわち、通気層２Ｆ、断熱材層２Ｈ、防湿シート２Ｉなどを有する区画壁２により、集合居室空間３への侵入が抑制される。
【００５１】
そして、集合水廻り空間４で発生した水蒸気等は、図３に示す自然換気構造５により屋外に放出される。すなわち、集合水廻り空間４で発生してその天井裏空間５Ｂおよび区画壁２内の通気層５Ａに侵入した水蒸気等は、床下換気孔５Ｆから流入し、配管ピット５Ｅおよび区画壁２内の通気層５Ａを経由して壁換気ガラリ５Ｇから流出する自然換気流と、集合水廻り空間４の屋根６の軒先側から屋根通気層５Ｃ内に流入し、通気層５Ａの上部を経由して壁換気ガラリ５Ｇから流出する自然換気流とに随伴されて屋外に放出される。
また、集合水廻り空間４内の水蒸気等は排気口５Ｇから天井裏空間５Ｂに流入し、通気層５Ａの上部を経由して壁換気ガラリ５Ｇから流出する自然換気流とに随伴されて屋外に放出される。
【００５２】
このため、集合水廻り空間４に仕切られた浴室ＢＲ、洗面脱衣場ＵＴ、トイレＷＣ、キッチンＫなどで発生する水蒸気等がこれらの壁面や天井面で結露し、あるいは、集合居室空間３に仕切られたリビング・ダイニングルームＬＤおよび小部屋Ｒの壁面や天井面で結露するのが抑制され、その結果、住宅の耐久性が向上する。
【００５３】
すなわち、一実施形態に係る木造戸建住宅によれば、集合水廻り空間４で発生する水蒸気等が集合居室空間３へ侵入するのを抑制しつつ、その水蒸気等を屋外に放出できるため、集合水廻り空間４で発生する水蒸気等に起因する結露を抑制して住宅の耐久性を向上することができる。
【００５４】
また、一実施形態の戸建住宅では、間仕切パネル７の上端部がスプリング式の可動壁固定装置１０により天井８に着脱自在に固定され、間仕切パネル７の下端部がスライドストッパ式の可動壁固定装置２０により床９に着脱自在に固定されるため、間仕切パネル７の立設位置を容易に変更することができる。
【００５５】
このため、複数の間仕切パネル７を使用してその立設位置を適宜変更することにより、集合居室空間３に仕切られるリビング・ダイニングルームＬＤや小部屋Ｒなどの間取りを家族構成やライフスタイルの変化に応じて容易に変更することができる。また、すべての間仕切りパネルを取り外すことによってワンルームにすることも可能である。同様に、集合水廻り空間４に仕切られる浴室ＢＲ、洗面脱衣場ＵＴ、トイレＷＣ、キッチンＫなどレイアウトを家族構成やライフスタイルの変化に応じて容易に変更することができる。
【００５６】
すなわち、一実施形態に係る木造戸建住宅によれば、可動壁としての間仕切パネル７の立設位置を適宜変更することにより、集合居室空間３に仕切られるリビング・ダイニングルームＬＤや小部屋Ｒなどの間取りや、集合水廻り空間４に仕切られる浴室ＢＲ、洗面脱衣場ＵＴ、トイレＷＣ、キッチンＫなどレイアウトを家族構成やライフスタイルの変化に応じて容易に変更することができる。
【００５７】
一方、間仕切パネル７の上端部を天井８に着脱自在に固定するスプリング式の可動壁固定装置１０は、天井仕上材８Ａを相互に接合する雇い実８Ｂの一部として天井仕上材８Ａの接合部に埋設される実型支持金具１１と、この実型支持金具１１に着脱自在に装着されて間仕切パネル７の上端部が着脱自在に固定される固定金具１２とで構成されているため、間仕切パネル７と共に固定金具１２を実型支持金具１１から取り外すと、実型支持金具１１は、天井仕上材８Ａに隠れて見えなくなり、天井８の美観が良好に保持される。
【００５８】
また、間仕切パネル７の下端部を床９に着脱自在に固定するスライドストッパ式の可動壁固定装置２０は、床仕上材９Ａを相互に接合する雇い実９Ｂの一部として床仕上材９Ａの接合部に埋設される実型支持金具２１と、この実型支持金具２１に着脱自在に装着されて間仕切パネル７の下端部が着脱自在に固定される固定金具２２とを備えた構成であるため、間仕切パネル７と共に固定金具２２および装着金具２５を実型支持金具２１から取り外すと、実型支持金具２１は、床仕上材９Ａに隠れて見えなくなる。
【００５９】
そして、実型支持金具２１側のスライドストッパ２４を操作突起２４Ａにより図９の右方に大きく移動すると、角筒状支持部２１Ａの貫通スリット２１Ｃがスライドストッパ２４で塞がれるため、床９の美観が良好に保持されると共に、歩行の安全性が十分に確保される。
【００６０】
すなわち、一実施形態に係る可動壁固定装置によれば、天井８と床９との間に立設される可動壁としての間仕切パネル７の立設位置を変更しても、天井８や床９の美観を損なうことなく、歩行の安全性を十分に確保することができる。
【００６１】
本発明に係る木造戸建住宅は、前述した一実施形態に限定されるものではない。例えば、集合居室空間３と集合水廻り空間４とを区画する区画壁２は、例えば三角形の集合水廻り空間４を区画するように設置されていてもよい。また、集合水廻り空間４は、住宅の２階部分の集合居室空間と区画壁２により区画されるように設けられていてもよい。
【００６２】
一方、前記可動壁固定装置は、前述した一実施形態に限定されるものではない。例えば、図５に示したように床９に設置されて間仕切パネル７の下端部を着脱自在に固定するスライドストッパ式の可動壁固定装置２０は、図１３に示すように天井８に設置して間仕切パネル７の上端部を着脱自在に固定するように使用してもよいし、あるいは、図１４に示すように耐力壁１（または区画壁２）に設置して間仕切パネル７の側部を着脱自在に固定するように使用してもよい。
【００６３】
なお、図示は省略するが、図５に示したように天井８に設置されて間仕切パネル７の上端部を天井８に着脱自在に固定するスプリング式の可動壁固定装置１０は、床９に設置して間仕切パネル７の下端部を着脱自在に固定するように使用してもよいし、あるいは、耐力壁１（または区画壁２）に設置して間仕切パネル７の側部を着脱自在に固定するように使用してもよい。
【００６４】
また、図５に示した間仕切パネル７の上端部を天井８に着脱自在に固定するためのスプリング式の可動壁固定装置１０と、間仕切パネル７の下端部を床９に着脱自在に固定するためのスライドストッパ式の可動壁固定装置２０とは、相互に入れ替えてもよい。
【００６５】
ここで、前記可動壁固定装置は、図１５〜図３３に示すような種々の形態に変更可能である。例えば図９〜図１２に示した可動壁固定装置２０を構成する実型支持金具２１は、例えば図１５に示す第１変形例の実型支持金具３１または図１６に示す第２変形例の実型支持金具３１に変更することができる。
【００６６】
図１５に示す第１変形例の実型支持金具３１は、図１２に示した実型支持金具２１からスライドストッパ２４を省略したものであり、角筒状支持部２１Ａおよび溝状固定部２１Ｂに対応した角筒状支持部３１Ａおよび溝状固定部３１Ｂのみで構成されている。また、図１６に示す実型支持金具３１は、図１５に示した角筒状支持部３１Ａを広幅に形成し、その内部に配線Ｗ用のスペースを確保したものである。
【００６７】
図１５および図１６に示した各実型支持金具３１には、例えば図１７に示すような第１変形例の装着金具３５が図１８に示す手順で着脱自在に装着される。この装着金具３５は、図１１に示した装着金具２５の接続片２５Ｂと同様の接続片３５Ｂと、装着片２５Ａとは形状が若干異なる装着片３５Ａとを有する。ここで、装着片３５Ａの先端部には、左右に張り出す係合段部３５Ｃ，３５Ｄと、係合段部３５Ｃ，３５Ｄに連続する円弧状の先端縁３５Ｅと、一方の係合段部３５Ｃから内側に連続して延びるスリット３５Ｆとが形成されている。
【００６８】
これに対応して、図１５および図１６に示した実型支持金具３１の角筒状支持部３１Ａには、装着片３５Ａの基端部の幅に対応した幅狭の上部スリット３１Ｃが上壁部に形成され、装着片３５Ａの先端縁３５Ｄの幅に対応した幅広の下部スリット３１Ｄが下壁部に形成されている。
【００６９】
ここで、実型支持金具３１の角筒状支持部３１Ａに装着金具３５の装着片３５Ａを装着するには、まず、図１８の（ａ）に示すように、装着片３５Ａを傾けてその先端縁３５Ｅを係合段部３５Ｃ側から角筒状支持部３１Ａの上部スリット３１Ｃに挿通する。そして、係合段部３５Ｃ側のスリット３５Ｆを角筒状支持部３１Ａの上壁部に挟み込む。その後、図１８の（ｂ）に示すように、装着片３５Ａを起立状態に戻しながらその先端縁３５Ｅの係合段部３５Ｄ側を上部スリット３１Ｃに挿通し、装着片３５Ａを図１８の右方に若干戻して係合段部３５Ｄを角筒状支持部３１Ａの上壁部の下面に係合させる。
【００７０】
また、図１５に示した第１変形例の実型支持金具３１は、例えば図１９に示す第３変形例の実型支持金具４１または図２０に示す第４変形例の実型支持金具５１に変更することができる。図１９に示す第３変形例の実型支持金具４１は、図１５に示した実型支持金具３１の角筒状支持部３１Ａを扁平な支持板部４１Ａに変更したものである。
【００７１】
この第３変形例の実型支持金具４１は、実型支持金具３１の溝状固定部３１Ｂと同様の溝状固定部４１Ｂを備えており、支持板部４１Ａには、実型支持金具３１の上部スリット３１Ｃと同様のスリット４１Ｃが形成されている。一方、図２０に示す第４変形例の実型支持金具５１は、円筒部の両側にツバ部が突出する形状に構成されており、その円筒部の上面には、図１９に示したスリット４１Ｃと同様のスリット５１Ｃが形成されている。
【００７２】
図１９に示した第３変形例の実型支持金具４１および図２０に示した第４変形例の実型支持金具５１には、図２１に示すような第２変形例の装着金具４５または図２２に示すような第３変形例の装着金具５５が着脱自在に装着される。例えば第３変形例の実型支持金具４１には、第２変形例の装着金具４５が図２３に示す手順で着脱自在に装着される。
【００７３】
図２１に示す第２変形例の装着金具４５は、図１１に示した装着金具２５の装着片２５Ａおよび接続片２５Ｂに対応する長方形の装着片４５Ａおよび正方形の接続片４５Ｂを有する。装着片４５Ａの左縁部には、装着片２５Ａの大きな切欠き２５Ｃに代わるスリット４５Ｃが形成されており、接続片４５Ｂには、接続片２５Ｂのボルト挿通孔２５Ｅ，２５Ｅと同様のボルト挿通孔４５Ｅ，４５Ｅが形成されている。
【００７４】
ここで、装着金具４５の装着片４５Ａの右縁部には、装着片２５Ａと同じ厚さのクサビ片４５Ｄが付設されている。このクサビ片４５Ｄは、装着片４５Ａの右縁部に沿う縦向きの概略長方形の正面形状を呈し、その下端部の外側縁にはクサビ用の傾斜縁部４５Ｆが形成されている。
【００７５】
装着片４５Ａの幅は、図２３に示す実型支持金具４１のスリット４１Ｃに挿入可能な幅とされており、クサビ片４５Ｄの最大幅は、装着片４５Ａのスリット４５Ｃの長さと同寸法とされている。そして、装着片４５Ａの幅とクサビ片４５Ｄの幅を加えた全幅は、図２３に示す床仕上材９Ａの接合部の差込み口９Ｄに挿入可能な寸法とされている。
【００７６】
一方、図２２に示す第３変形例の装着金具５５は、図２１に示した装着金具４５の装着片４５Ａおよびクサビ片４５Ｄと同様の装着片５５Ａおよびクサビ片５５Ｄを有し、装着片５５Ａにはスリット４５Ｃと同様のスリット５５Ｃが形成され、クサビ片５５Ｄには傾斜縁部４５Ｆと同様の傾斜縁部５５Ｆが形成されている。ここで、装着金具５５は、装着金具４５の接続片４５Ｂとは構造の異なる接続片５５Ｂを有する。この接続片５５Ｂは、装着片５５Ａと同幅に形成されたボルト挿通孔５５Ｅ，５５Ｅを有する小片からなり、装着片５５Ａの上部にピン５５Ｇを介して回動自在に連設されている。
【００７７】
ここで、実型支持金具４１の支持板部４１Ａに装着金具４５を装着するには、図２３の（ａ）、（ｂ）に示すように、実型支持金具４１の支持板部４１Ａに形成されたスリット４１Ｃに装着金具４５の装着片４５Ａを挿通し、装着片４５Ａを図２３の左方に押動して装着片４５Ａのスリット４５Ｃを支持板部４１Ａに挟み込む。その後、装着片４５Ａの右縁部に沿ってクサビ片４５Ｄを傾斜縁部４５Ｆ側から支持板部４１Ａのスリット４１Ｃに挿通する。
【００７８】
図１１に示した装着金具２５の菱形の接続片２５Ｂは、図２４に示す第４変形例の装着金具２５のように、円形の接続片２５Ｂに変更することができる。この場合、図１１に示した固定金具２２の下面に固定される免震部材２７は、図２５の（ａ）、（ｂ）に示す第１変形例の固定金具２２のように、円形の凹部２７Ａが下面に形成されたものとするのが好ましい。
【００７９】
また、図２２に示した第３変形例の装着金具５５に対応して、図１１に示した固定金具２２は、図２６に示す第２変形例の固定金具３２に変更することができる。この固定金具３２は、免震部材２７が接合される底板部３２Ａに十文字突起３２Ｂがプレス加工等により形成されたものであり、この十文字突起３２Ｂの内側には、図２２に示した装着金具５５の装着片５５Ａが回動方向に９０度位置を変えて差し込み可能な十文字溝３２Ｃが形成されている。また、この十文字突起３２Ｂには、装着片５５Ａのボルト挿通孔５５Ｅ，５５Ｅに合致する４つのボルト挿通孔３２Ｄが形成されている。
【００８０】
図２６に示した第２変形例の固定金具３２は、図２７に示すように床９の床仕上材９Ａ上に設置されることで、図２に示した各間仕切パネル７を側部間に介設される溝付き間柱Ｐ１を立設するために使用することができる。なお、この場合、溝付き間柱Ｐ１の下端面には、固定金具３２の十文字突起３２Ｂに嵌合する十文字溝（図示省略）を形成しておく。
【００８１】
さらに、図１１に示した固定金具２２は、図２８に示す第３変形例の固定金具４２に変更することができる。この固定金具４２は、円形の免震部材４７が接合される円形の底板部４２Ａの周縁部に円筒部４２Ｂが連続して形成されたものであり、円筒部４２Ｂの周面には複数のボルト挿通孔４２Ｃが形成されている。
【００８２】
図２８に示した第３変形例の固定金具４２は、図２９に示すように床９の床仕上材９Ａ上に設置されることで、図２に示した天井８と床９の間に間柱Ｐ２を立設するために使用することができる。なお、この場合、間柱Ｐ２の下端面には、固定金具４２の円筒部４２Ｂが嵌合する円筒状溝（図示省略）を形成しておく。そうすることで、間柱Ｐ２は固定金具４２に対し軸周りに回動でき、任意の回動位置でボルト挿通孔４２Ｃに挿通される固定ボルトによって固定できる。
【００８３】
また、図１１に示した固定金具２２は、図３０に示す第４変形例の固定金具５２あるいは図３１に示す第５変形例の固定金具６２に変更することができる。図３０に示す第４変形例の固定金具５２は、底板部５２Ａおよび側壁部５２Ｃ，５２Ｃが前述した間仕切パネル７の下端部に沿う長尺のレール状に形成されたものであり、その底板部５２Ａの下面には長尺の免震部材５７が接合されている。
【００８４】
一方、図３１に示す第５変形例の固定金具６２は、底板部６２Ａおよび側壁部６２Ｃ，６２Ｃが前述した間仕切パネル７の下端部に沿う長尺のレール状に形成されたものであり、その底板部６２Ａの下面には長板状の免震部材６７が接合されている。そして、この底板部６２Ａの幅方向中央部には、プレス加工等により突条６２Ｂが折曲げ加工されており、この突条６２Ｂ内側には、図２２に示した装着金具５５の装着片５５Ａが回動自在に差し込まれる装着溝６２Ｄが形成されている。
【００８５】
図３０に示した第４変形例の固定金具５２は、例えば図３２に示すように天井８の天井仕上材８Ａ上に設置されることで、図２に示した天井８と床９の間に間仕切パネル７を立設するために使用することができる。また、図３１に示した第５変形例の固定金具６２は、例えば図３２に示すように床９の床仕上材９Ａ上に設置されることで、図２に示した天井８と床９の間に間仕切パネル７を立設するために使用することができる。この場合、間仕切パネル７の下端面には、固定金具６２の突条６２Ｂが嵌合するスリット（図示省略）を形成しておく。そうすることで、間仕切パネル７の下端部は、固定金具６２の長尺の側壁部６２Ｃ，６２Ｃ間に挟み込まれる。
【００８６】
ここで、第５変形例の固定金具６２は、長板状の免震部材６７の上面に突出する長尺の側壁部６２Ｃ，６２Ｃ間に間仕切パネル７の下端部の全幅にわたって挟み込むため、間仕切パネル７の下端部の美観を向上することができる。なお、図１１に示した一対の固定金具２２を使用して間仕切パネル７の下端部を固定する場合には、間仕切パネル７の全幅に及ぶ長さの化粧板（図示省略）を一対の固定金具２２の側壁部２２Ｃ，２２Ｃの外面に固定ボルト２８によって共締め固定する。そうすることで、間仕切パネル７の下方に隙間が化粧板（図示省略）により覆われて美観が向上する。
【００８７】
なお、図１１に示した固定金具２２は、例えば図３３に示すように天井８の天井仕上材８Ａ上および床９の床仕上材９Ａ上に設置されることで、図２に示した隣接する間仕切パネル７，７の間に間柱Ｐ３を立設するために使用することができる。この間柱Ｐ３は、間仕切パネル７，７の側端部を挟み込む側壁部Ｐ３Ａ，Ｐ３Ａと両者の幅方向中央部を相互に接続する接続壁部Ｐ３Ｂとを有するＨ型の断面形状を呈し、接続壁部Ｐ３Ｂの上下の端部は固定金具２２，２２が設置できるように切り欠かられている。そして、この接続壁部Ｐ３Ｂには、片側の間仕切パネル７の側端面に固定ボルトをねじ込んで固定するためのボルト挿通孔（図示省略）が形成されている。
【００８８】
本発明に係る実施形態を戸建住宅について説明したが、本発明は戸建住宅に限定されるものではなく、アパート、マンション等の住宅にも広く適用できるものである。例えば、アパートやマンション等の居室空間に本発明に係る可動壁固定装置を適用することにより、間取りを自由に変えることができるので、水廻り空間や居室空間を子供の成長や家族構成の変化に対応させることができる。また、本発明に係る可動壁固定装置は、２階以上の居室空間にも適用できることは勿論である。
【図面の簡単な説明】
【００８９】
【図１】本発明の一実施形態に係る戸建住宅の１階部分の平面図である。
【図２】一実施形態に係る戸建住宅の要部の斜視図である。
【図３】一実施形態に係る戸建住宅の要部の縦断面図である。
【図４】図３のＩＶ−ＩＶ線に沿う横断面図である。
【図５】図２に示した間仕切パネルの上端部を固定するスプリング式の可動壁固定装置と共に、同間仕切パネルの下端部を固定するスライドストッパ式の可動壁固定装置を示す斜視図である。
【図６】図５に示したスプリング式の可動壁固定装置の横断面図である。
【図７】図５に示したスプリング式の可動壁固定装置の縦断面図である。
【図８】図５に示したスプリング式の可動壁固定装置の斜視図である。
【図９】図５に示したスライドストッパ式の可動壁固定装置の横断面図である。
【図１０】図５に示したスライドストッパ式の可動壁固定装置の縦断面図である。
【図１１】図５に示したスライドストッパ式の可動壁固定装置の分解斜視図である。
【図１２】図１１に示した実型支持金具およびスライドストッパの分解斜視図である。
【図１３】図５に示したスライドストッパ式の可動壁固定装置を天井に設置する例を示す分解斜視図である。
【図１４】図５に示したスライドストッパ式の可動壁固定装置を耐力壁に設置する例を示す分解斜視図である。
【図１５】図１２に示した実型支持金具の第１変形例を示す斜視図である。
【図１６】図１２に示した実型支持金具の第２変形例を示す斜視図である。
【図１７】図１１に示した装着金具の第１変形例を示す斜視図である。
【図１８】図１５に示した第１変形例の実型支持金具に図１７に示した第１変形例の装着金具を装着する手順を示す部分断面図である。
【図１９】図１５に示した実型支持金具に類似の第３変形例の実型支持金具を示す斜視図である。
【図２０】図１５に示した実型支持金具に類似の第４変形例の実型支持金具を示す斜視図である。
【図２１】図１１に示した装着金具の第２変形例を示す斜視図である。
【図２２】図１１に示した装着金具の第３変形例を示す斜視図である。
【図２３】図１９に示した第３変形例の実型支持金具に図２１に示した第２変形例の装着金具を装着する手順を示す部分断面図である。
【図２４】図１１に示した装着金具の第４変形例を示す斜視図である。
【図２５】図２４に示した第４変形例の装着金具に対応する図１１に示した固定金具の第１変形例を示す斜視図であり、（ａ）は上面側斜視図、（ｂ）は下面側斜視図である。
【図２６】図２２に示した第３変形例の装着金具に対応する図１１に示した固定金具の第２変形例を示す斜視図である。
【図２７】図２６に示した第２変形例の固定金具の使用例を示す斜視図である。
【図２８】図１１に示した固定金具の第３変形例を示す斜視図である。
【図２９】図２８に示した第３変形例の固定金具の使用例を示す斜視図である。
【図３０】図１１に示した固定金具の第４変形例を示す部分斜視図である。
【図３１】図１１に示した固定金具の第５変形例を示す部分斜視図である。
【図３２】図３０に示した第４変形例の固定金具および図３１に示した第５変形例の固定金具の使用例を示す斜視図である。
【図３３】図１１に示した固定金具の他の使用例を示す斜視図である。
【符号の説明】
【００９０】
１  ：耐力壁
２  ：防湿耐力構造の区画壁
２Ａ：壁仕上材
２Ｂ：柱
２Ｃ：間柱
２Ｄ：構造用面材
２Ｅ：壁仕上材
２Ｆ：間柱
２Ｇ：断熱材層
２Ｈ：防湿シート
３  ：集合居室空間
４  ：集合水廻り空間
５  ：自然換気構造
５Ａ：通気層
５Ｂ：天井裏空間
５Ｃ：屋根通気層
５Ｄ：ベタ基礎
５Ｅ：配管ピット
５Ｆ：床下換気孔
５Ｇ：壁換気ガラリ
６  ：屋根
６Ａ：屋根仕上材
６Ｂ：屋根下地材
７  ：間仕切パネル
７Ａ：収容溝
８  ：天井
８Ａ：天井仕上材
８Ｂ：雇い実
８Ｃ：天井野縁
８Ｄ：目すかし部
９  ：床
９Ａ：床仕上材
９Ｂ：雇い実
９Ｃ：床下地材
９Ｄ：差込み口
９Ｅ：目地
１０  ：スプリング式の可動壁固定装置
１１  ：実型支持金具
１１Ａ：スリット
１１Ｂ：操作孔
１２  ：固定金具
１２Ａ：スリット
１２Ｂ：ボルト挿通孔
１３  ：固定ビス
１４  ：装着プレート
１５  ：コイルスプリング
１６  ：ズレ止めプレート
２０  ：スライドストッパ式の可動壁固定装置
２１  ：実型支持金具
２１Ａ：角筒状支持部
２１Ｂ：溝状固定部
２１Ｃ：貫通スリット
２２  ：固定金具
２２Ａ：底板部
２２Ｂ：十文字孔
２２Ｃ：側壁部
２２Ｄ：ボルト挿通孔
２３  ：固定ビス
２４  ：スライドストッパ
２４Ａ：操作突起
２４Ｂ：貫通スリット
２５  ：装着金具
２５Ａ：装着片
２５Ｂ：接続片
２５Ｃ：大きな切欠き
２５Ｄ：小さな切欠き
２５Ｅ：ボルト挿通孔
２６  ：固定ボルト
２７  ：免震部材
２７Ａ：凹部
２８  ：固定ボルト
ＬＤ  ：リビング・ダイニングルーム
Ｒ  ：小部屋
ＢＲ：浴室
ＵＴ：洗面脱衣場
ＷＣ：トイレ
Ｋ  ：キッチン
Ｗ  ：配線
ＤＲ：ドアー
【図１】
0005322255.tif 000002
【図２】
0005322255.tif 000003
【図３】
0005322255.tif 000004
【図４】
0005322255.tif 000005
【図５】
0005322255.tif 000006
【図６】
0005322255.tif 000007
【図７】
0005322255.tif 000008
【図８】
0005322255.tif 000009
【図９】
0005322255.tif 000010
【図１０】
0005322255.tif 000011
【図１１】
0005322255.tif 000012
【図１２】
0005322255.tif 000013
【図１３】
0005322255.tif 000014
【図１４】
0005322255.tif 000015
【図１５】
0005322255.tif 000016
【図１６】
0005322255.tif 000017
【図１７】
0005322255.tif 000018
【図１８】
0005322255.tif 000019
【図１９】
0005322255.tif 000020
【図２０】
0005322255.tif 000021
【図２１】
0005322255.tif 000022
【図２２】
0005322255.tif 000023
【図２３】
0005322255.tif 000024
【図２４】
0005322255.tif 000025
【図２５】
0005322255.tif 000026
【図２６】
0005322255.tif 000027
【図２７】
0005322255.tif 000028
【図２８】
0005322255.tif 000029
【図２９】
0005322255.tif 000030
【図３０】
0005322255.tif 000031
【図３１】
0005322255.tif 000032
【図３２】
0005322255.tif 000033
【図３３】
0005322255.tif 000034